(57)【要約】【課題】覆工コンクリート妻部の内周側凸部のクラックの発生を防止しながら、地山との不陸に対応できて、ジャッキによるスライド式の鋼製妻型枠に比べ安価にする。【解決手段】トンネル覆工用のセントル１の妻側を塞ぐ妻板６と、その妻板６の外周に設けられて、流体の充填により膨張して地山Ｇとの不陸を塞ぐ伸縮性バッグ８と、を備える。具体的には、妻板６は、セントル１の円周方向に分割されて、セントル１に対し内周側と外周側とに揺動可能にヒンジ５で結合されている。【選択図】図１
2011184869.tif 000002
【特許請求の範囲】
【請求項１】
トンネル覆工用のセントルの妻側を塞ぐ妻板と、
その妻板の外周に設けられて、流体の充填により膨張して地山との不陸を塞ぐ伸縮性バッグと、を備えることを特徴とするセントル妻側型枠装置。
【請求項２】
前記妻板は、前記セントルの円周方向に分割されて、前記セントルに対し内周側と外周側とに揺動可能にヒンジ結合されていることを特徴とする請求項１に記載のセントル妻側型枠装置。
【発明の詳細な説明】
【技術分野】
【０００１】
本発明は、セントル妻側の型枠装置に関する。
【背景技術】
【０００２】
トンネル工事の覆工コンクリートのセントル妻部の施工において、従来は地山までの隙間に合う長さに木矢板を地切断し、後方からの控えにより支え、木製キャンバにより支える方法で行われており、全て人力により行うため、面倒な作業であった。
それらの対策として、エアチューブ式型枠や、ジャッキによるスライド式の鋼製妻型枠が開発されている。
エアチューブ式型枠は、矢板で行っていたのに代えて、セントル妻部をエアチューブで塞ぐものである（特許文献１参照）。
【先行技術文献】
【特許文献】
【０００３】
【特許文献１】特許第４０３７３０１号公報
【発明の概要】
【発明が解決しようとする課題】
【０００４】
しかし、特許文献１のエアチューブ式型枠では、エアチューブの膨らんだ形状がそのまま妻部の覆工コンクリートの形状となり、その覆工コンクリート妻部の内周側凸部にクラックが発生する恐れがあった。
また、ジャッキによるスライド式の鋼製妻型枠は、矢板が不要で、人力による面倒な作業が不要になるが、非常に高価である。
【０００５】
本発明の課題は、覆工コンクリート妻部の内周側凸部のクラックの発生を防止しながら、地山との不陸に対応できて、ジャッキによるスライド式の鋼製妻型枠に比べ安価にすることである。
【課題を解決するための手段】
【０００６】
以上の課題を解決するため、請求項１に記載の発明は、トンネル覆工用のセントルの妻側を塞ぐ妻板と、その妻板の外周に設けられて、流体の充填により膨張して地山との不陸を塞ぐ伸縮性バッグと、を備えるセントル妻側型枠装置を特徴とする。
【０００７】
請求項２に記載の発明は、請求項１に記載のセントル妻側型枠装置であって、前記妻板は、前記セントルの円周方向に分割されて、前記セントルに対し内周側と外周側とに揺動自在にヒンジ結合されていることを特徴とする。
【発明の効果】
【０００８】
本発明によれば、妻板により覆工コンクリート妻部の内周側凸部のクラックの発生を防止できて、流体を充填して膨張した伸縮性バッグにより地山との不陸に対応でき、しかも、ジャッキによるスライド式の鋼製妻型枠に比べ安価にできる。
【図面の簡単な説明】
【０００９】
【図１】本発明を適用した一実施形態の構成を示すもので、セントル及びその妻側型枠装置のセット状態を部分的に示した正面図である。
【図２】図１の矢印Ａ−Ａ線に沿った断面図である。
【図３】図２の妻側型枠装置の取り外し状態を示した図である。
【発明を実施するための形態】
【００１０】
以下、図を参照して本発明を実施するための形態を詳細に説明する。
図１は本発明を適用した一実施形態の構成としてセントル１及びその妻側型枠装置２のセット状態を部分的に示したもので、図２はその矢印Ａ−Ａ線に沿った断面を示しており、３はＨ形鋼、４はブラケット、５はヒンジ、６は妻板、７は外周幅広部、８はエアバッグ、９はエアホース、Ｃは覆工コンクリート、Ｇは地山である。
【００１１】
図示のように、セントル１の妻側には妻側型枠装置２が備えられている。この妻側型枠装置２は、セントル１の妻側内周に溶接したアーチ状のＨ形鋼３に溶接されたブラケット４に対しヒンジ５で結合した妻板６と、この妻板６の外周幅広部７に取り付けたゴム製の伸縮性を具備するエアバッグ８とから構成されている。
【００１２】
妻板６は、セントル１の妻側を塞ぐもので、セントル１の円周方向に分割した鋼製型枠により形成されていて、一対のヒンジ５を中心としてセントル１に対し内周側と外周側とに揺動自在に取り付けられている。
【００１３】
エアバッグ８は、地山Ｇとの不陸を塞ぐもので、妻板６の外周幅広部７の上面に沿って取り付けられている。このエアバッグ８の内周側に設けられて、妻板６の外周幅広部７の下面に突出するエアバルブにはエアホース９が接続されている。エアホース９は図示しないエア給排装置に接続されている。
【００１４】
図１及び図２は妻側型枠装置２のセット状態を示したもので、図示のように、妻板６は、セントル１に対しヒンジ５を支点として外周側に揺動して直角に起立した状態となっている。
このセット状態において、エアバッグ８にエアを供給して膨張させることで、図示のように、セントル１の周囲に打設された覆工コンクリートＣの妻側を、鋼製型枠による妻板６で塞ぐと同時に、その外周側の地山Ｇとの隙間の不陸をエアバッグ８で塞いだ状態が得られる。
【００１５】
図３は妻側型枠装置２の取り外し状態を示したもので、図示のように、妻板６は、セントル１に対しヒンジ５を支点として内周側に揺動して傾斜した状態となっている。
これに先立って、エアバッグ８からはエアが排出されて、図示のように、エアバッグ８が収縮した状態となっている。
【００１６】
以上において、妻板６の円周方向の長さは、例えば１，８００ｍｍ程度とする。
また、妻板６のセット（ヒンジ５による回転、固定及びエアバッグ８の膨張）は、セントル１内に設置した架台から行う。
【００１７】
以上、実施形態の妻側型枠装置２によれば、セントル１の円周方向に分割されて、セントル１に対し内周側と外周側とに揺動可能にヒンジ５で結合された妻板６と、その妻板６の外周に設けられて、エアの充填により膨張して地山Ｇとの不陸を塞ぐエアバッグ８と、を備える構成により、以下に列挙する効果が得られる。
【００１８】
１）妻板６を外す必要がなく、容易に妻板６のセットが可能となる。
２）地山Ｇとの不陸はエアバッグ８により塞ぐことができる。
３）妻板６により覆工コンクリートＣの妻部の内周側凸部に発生するクラックを防止できる。
４）ジャッキによるスライド式の鋼製妻型枠に比べ安価にできる。
【００１９】
なお、以上の実施形態では、鋼製型枠による妻板としたが、妻板の材質は硬質樹脂等でもよい。
また、実施形態ではエアバッグとしたが、エアに限らず、水等の液体を使用してもよく、要は流体を充填する伸縮性バッグであればよい。
さらに、その他、具体的な細部構造等についても適宜に変更可能であることは勿論である。
【符号の説明】
【００２０】
１  セントル
２  妻側型枠装置
３  Ｈ形鋼
４  ブラケット
５  ヒンジ
６  妻板
７  外周幅広部
８  伸縮性バッグ
９  エアホース
Ｃ  覆工コンクリート
Ｇ  地山
【図１】
2011184869.tif 000003
【図２】
2011184869.tif 000004
【図３】
2011184869.tif 000005